(57)【特許請求の範囲】
【請求項１】
軒先への取付部から突設される軒樋を支持する凹所を有した支持片を、支持する軒樋同士を接続する継手を覆うよう軒樋長手方向に巾広とし、複数個の支持片を軒樋長手方向に所定間隔をもって列設し、この支持片の取付部を長尺略平板状板体として一体化させてなる軒樋支持具を、該軒樋支持具の支持片に２つの軒樋同士を接続した継手を位置させてなる軒樋支持構造。
【請求項２】
該支持片を、その下方へ膨出させるとともに、その膨出部を取付部と一体化したことを特徴とする請求項１記載の軒樋支持構造。
【発明の詳細な説明】
【０００１】
【発明の属する技術分野】
本発明は、軒樋支持構造に関するものである。
【０００２】
【従来の技術】
従来から、軒樋支持具は、図４に示す如く、例えば、鋼板材料を略コ字状に折曲して凹所を形成した、軒樋１を支持する支持片２が、軒先の鼻板へ取り付けられる鋼板材料製の取付部（図示せず）へ突設されたものが知られている。
【０００３】
この場合、軒樋１は、上記軒樋支持具が所定間隔をおいて鼻板に設けられて、その支持片２の凹所に複数の所定長さの軒樋１が支持されて取着される。そして、この軒樋１、１同士が、図４に示す集水器３の設けられている部分や、例えば図５（ａ）に示すような、鋼板材料製の外継手４１と内継手４２とを備えた継手４にて、図５（ｂ）に示すように、適切な接続位置にて外継手４１と内継手４２との略中間へ２つの軒樋１、１端面同士を対向させて位置させ、接続して軒先に取り付けられている。
【０００４】
【発明が解決しようとする課題】
しかしながら、上記従来の技術においては、軒樋１表面に軒樋支持具の支持片２及び継手４が目立つため、軒先の外観を損なうという問題があった。又、軒樋支持具を軒先の鼻板へ多数固定する必要があり、施工に手間がかかるという問題もあった。
【０００５】
本発明は、上記事由に鑑みてなしたもので、その目的とするところは、支持片の体裁が良く、また多数の軒樋同士を接続する継手が目立つことなく、以て、軒先のデザインを低下させることの無い軒樋支持構造を提供することにある。
【０００６】
【課題を解決するための手段】
上記目的を達成するために、請求項１記載の軒樋支持構造は、軒先への取付部から突設される軒樋を支持する凹所を有した支持片を、支持する軒樋同士を接続する継手を覆うよう軒樋長手方向に巾広とし、複数個の支持片を軒樋長手方向に所定間隔をもって列設し、この支持片の取付部を長尺略平板状板体として一体化させてなる軒樋支持具を、該軒樋支持具の支持片に２つの軒樋同士を接続した継手を位置させてなる軒樋支持構造である。
【０００７】
したがって、この場合、軒先への取付部から突設される軒樋を支持する凹所を有した支持片にて、支持する軒樋同士を接続する継手を覆うことができる。
【０００８】
したがって、複数個の支持片が軒樋長手方向に所定間隔をもって列設され、この支持片の取付部が長尺略平板状板体として一体化される。
【０００９】
したがって、２つの軒樋同士を接続した継手が、軒樋支持具の支持片に位置させられる。
【００１０】
また、請求項２記載の軒樋支持構造は、支持片を、その下方へ膨出させるとともに、その膨出部を取付部と一体化している。
【００１１】
したがって、この場合、請求項１の効果に加え、支持片下方へ膨出させられた膨出部が取付部と一体化される。
【００１４】
【発明の実施の形態】
図１乃至図３は、本発明の軒樋支持構造の請求項１及び２に対応する一実施の形態を示し、図１は、本発明の一実施の形態の軒樋支持構造を示す概略構成図である。図２は、軒樋支持構造の状態を示す斜視図である。図３は、軒樋支持構造の説明図である。
【００１５】
この実施の形態の軒樋支持構造は、軒先への取付部２１から突設される軒樋１を支持する凹所２２を有した支持片２を、支持する軒樋１同士を接続する継手４を覆うよう軒樋１長手方向に巾広とし、複数個の支持片２を軒樋１長手方向に所定間隔をもって列設し、この支持片２の取付部２１を長尺略平板状板体として一体化させてなる軒樋支持具を、該軒樋支持具の支持片２に２つの軒樋１同士を接続した継手４を位置させてなる軒樋支持構造である。
【００１６】
又、該実施の形態に用いられる軒樋支持具においては、支持片２を、その下方へ膨出させるとともに、その膨出部２３を取付部２１と一体化してもいる。
【００１８】
詳しくは、この軒樋支持具は、例えば、塩化ビニル樹脂材料等の合成樹脂にて形成され、この場合、支持片２が長尺の略平板状板体にてその取付部２１が一体化されている。支持片２は、この軒樋支持具にて支持する軒樋１の長手方向に巾広で、下方へ膨出させられた膨出部２３内部を中空にして形成されている。
【００１９】
取付部２１は、軒先への取付部分で、この場合、軒先に設けられる鼻板を兼ねるよう長尺略平板状板体として形成され、図示していない取付手段にて軒先に固定されるようになっている。また、支持片２の凹所２２は、軒樋１の外形と略同一の半円状曲面をもって形成され、軒樋１を確実に保持するようになっている。
【００２０】
以上説明した軒樋支持構造は、軒樋支持具を図２に示すよに、例えば建物の軒先へその上部が固定されて垂設され、凹所２２に配設された軒樋１を支持する。そして、２つの軒樋１、１を接続する場合、図３に示すように、この軒樋支持構造の支持片２に２つの軒樋１、１の長手方向端部を位置させ、従来の技術の項にて説明した継手４にて接続する。その結果、継手４が支持片２にて覆われて、軒先にて目立つことが無い。
【００２１】
したがって、軒先への取付部２１から突設される軒樋１を支持する凹所２２を有した巾広の支持片２にて、支持する軒樋１、１同士を接続する継手４を覆うことができるので、支持片２の体裁が良く、また多数の軒樋同士を接続する継手４が目立つことなく、以て、軒先のデザインを低下させることが無い。
【００２２】
また、支持片２下方へ膨出させられた膨出部２３が取付部２１と一体化されるので、支持片２の強度を向上できる。また、複数個の支持片２が軒樋１長手方向に所定間隔をもって列設され、この支持片２の取付部２１が長尺略平板状板体として一体化されるので、取付部２１を軒先に設けられる鼻板を兼ねることができるとともに複数の支持片２を固定する手間が省けて施工が短時間にてできる。
【００２３】
また、２つの軒樋１、１同士を接続した継手４が、軒樋支持具の支持片２に位置させられるので、継手４を容易に覆って隠すことが出来る。
【００２４】
なお、この実施の形態に用いられる軒樋支持具として、複数個の支持片２をその取付部を長尺略平板状板体として一体化したものを例示しているが、本発明は、そのもののみに限定するものでなく、支持片２が分離しているものも含む。
【００２５】
【発明の効果】上述の如く、本発明の請求項１記載の軒樋支持構造は、軒先への取付部から突設される軒樋を支持する凹所を有した支持片にて、支持する軒樋同士を接続する継手を覆うことができるので、支持片の体裁が良く、また多数の軒樋同士を接続する継手が目立つことなく、以て、軒先のデザインを低下させることが無い。
【００２６】
また、複数個の支持片が軒樋長手方向に所定間隔をもって列設され、この支持片の取付部が長尺略平板状板体として一体化されるので、取付部を軒先に設けられる鼻板を兼ねることができるとともに複数の支持片を固定する手間が省けて施工が短時間にてできる。
【００２７】
また、２つの軒樋同士を接続した継手が、請求項１記載の軒樋支持構造の支持片に位置させられるので、継手を容易に覆って隠すことが出来る。
【００２８】
また、請求項２記載の軒樋支持構造は、請求項１記載のものの効果に加え、支持片下方へ膨出させられた膨出部が取付部と一体化されるので、支持片の強度を向上できる。
【図面の簡単な説明】
【図１】本発明の一実施の形態に用いられる軒樋支持具を示す概略構成図である。
【図２】本発明の一実施の形態の軒樋支持構造を示す斜視図である。
【図３】同軒樋支持構造の説明図である。
【図４】本発明の従来例である軒樋支持具を示す説明図である。
【図５】同軒樋支持具の一使用状態を示す概略正面図である。
【符号の説明】
１    軒樋
２    支持片
２１  取付部
２２  凹所
２３  膨出部
４    継手
【図１】
0003541664.tif 000002
【図２】
0003541664.tif 000003
【図３】
0003541664.tif 000004
【図４】
0003541664.tif 000005
【図５】
0003541664.tif 000006